(57)【要約】【課題】爪の甘皮を爪と皮膚の間に押し込んで目立たなくしたり、除去するといった処理が効率的に可能であるとともに、爪にクリーニング液等を塗布しながら爪に付着した汚れを除去したり、保湿効果のあるトリートメント液やネイルカラー液等を爪に塗布することが可能な爪用液体塗布具を提供すること。【解決手段】連続した気孔を内部に有する合成繊維体の外周面を、該合成繊維体に一体に成形された合成樹脂製の被覆部材で覆うとともに、その先端側を楔状に形成し、甘皮除去部と液体塗布部を有することを特徴とする爪用液体塗布具。【選択図】図１
2011041626.tif 000002
【特許請求の範囲】
【請求項１】
連続した気孔を内部に有する合成繊維体の外周面を、該合成繊維体に一体に成形された合成樹脂製の被覆部材で覆うとともに、その先端側を楔状に形成し、甘皮除去部と液体塗布部を有することを特徴とする爪用液体塗布具。
【発明の詳細な説明】
【技術分野】
【０００１】
本発明は、特に爪へのクリーニング液やトリートメント液等の液体塗布に有用な化粧用液体塗布具に関する。
【背景技術】
【０００２】
従来の爪用液体塗布具の中には、ボディー内部の中綿等に充填された液体を、合成繊維束をウレタン樹脂等を用いて固めて形成した液体塗布具の毛細管力で吸い上げ、爪に塗布する液体塗布具（例えば、特許文献１）がある。
しかしながら、前記爪用液体塗布具は、合成繊維束をウレタン樹脂等を用いて固めて形成したものであることから、その外周部は軟らかく、爪に液体を塗布することは可能であるが、爪の甘皮を爪と皮膚の間に押し込んで目立たなくしたり、除去するといった機能を持ち合わせていない。
そのため、爪の手入れをする場合には、甘皮除去具にて甘皮を除去した後に液体を塗布する必要があり、手間である。
【特許文献１】特開２００６−２０４３３２号公報
【発明の概要】
【発明が解決しようとする課題】
【０００３】
本発明は、爪の甘皮を爪と皮膚の間に押し込んで目立たなくしたり、除去するといった処理が効率的に可能であるとともに、爪にクリーニング液等を塗布しながら爪に付着した汚れを除去したり、保湿効果のあるトリートメント液やネイルカラー液等を爪に塗布することが可能な爪用液体塗布具を提供することを目的とする。
【課題を解決するための手段】
【０００４】
本発明の請求項１に記載の発明は、連続した気孔を内部に有する合成繊維体の外周面を、該合成繊維体に一体に成形された合成樹脂製の被覆部材で覆うとともに、その先端側を楔状に形成し、甘皮除去部と液体塗布部を有することを特徴とする爪用液体塗布具である。
【発明の効果】
【０００５】
本発明によれば、爪の甘皮を爪と皮膚の間に押し込んで目立たなくしたり、除去するといった処理が効率的に可能であるとともに、爪にクリーニング液等を塗布しながら爪に付着した汚れを除去したり、保湿効果のあるトリートメント液やネイルカラー液等を爪に塗布することが可能な爪用液体塗布具を提供することができる。
【０００６】
また、液体塗布部である合成繊維体と甘皮処理部である合成樹脂製の被覆部材が一体であることから、例えば、アクリル繊維やポリエステル繊維やナイロン繊維等の合成繊維束をウレタン樹脂等を用いて固めて形成した液体塗布具を甘皮除去機能を有する塗布具ホルダーに組付けた場合と異なり、組付けや使用による液体塗布部と甘皮処理部の位置ずれが発生しない。
そのため、図３に示すように液体塗布部である合成繊維体が甘皮処理部より突出し、甘皮を除去する機能を満たすことができない場合や、逆に図４に示すように甘皮処理部が突出していることによる液体の塗布不良が発生しない。
【０００７】
さらには、例えば、アクリル繊維やポリエステル繊維やナイロン繊維等の合成繊維束をウレタン樹脂等を用いて固めて形成した液体塗布具に甘皮処理機能を持たせるため、外周部の樹脂分布が多くなるように設計し、合成繊維束の外周部が硬なるように成形して得た液体塗布具では、使用の際に液体塗布具の外周部から液体が揮発してしまうのに対し、本発明の爪用液体塗布具においては、合成繊維体と一体に成形された合成樹脂製の被覆部材で外周部を覆うことから、外周部からの液体の揮発を防ぐことが可能である。
そのため、特に揮発性の高いクリーニング液等の液体を使用した場合に塗布部が乾いてしまうドライアップ現象が発生しづらい液体塗布具を提供することができる。
【０００８】
加えて、本発明の爪用液体塗布具は、合成樹脂製の被覆部材で外周部が覆われていることから、特に爪のクリーニング用途で使用し汚れた液体塗布具を新しいものと交換する場合に、被覆された外周部を持ち液体塗布具の交換作業をすることで、クリーニング液で手を汚すことなく交換が可能である。
【図面の簡単な説明】
【０００９】
【図１】本発明に係る爪用液体塗布具の一形態
【図２】爪用液体塗布具の使用時の一形態
【図３】液体塗布具と甘皮処理部を別体にて組付けた場合の不具合例
【図４】液体塗布具と甘皮処理部を別体にて組付けた場合の不具合例
【図５】爪用液体塗布具の他の一形態
【図６】爪用液体塗布具の他の一形態
【図７】爪用液体塗布具の他の一形態
【図８】爪用液体塗布具の他の一形態
【図９】爪用液体塗布具の他の一形態
【図１０】爪用液体塗布具の他の一形態
【図１１】爪用液体塗布具の他の一形態
【発明を実施するための最良の形態】
【００１０】
本発明について、以下具体的に説明する。
【００１１】
本発明における連続した気孔を内部に有する合成繊維体とは、例えば、羊毛、アクリル繊維、ナイロン繊維、ＰＥＴ繊維などの繊維束を成形ダイスに通し加熱して所要の断面形状・寸法に成形し、次に樹脂バインダ液に浸漬せしめた後、乾燥装置で乾燥と一次硬化とを行い、さらに加熱装置に通して樹脂硬化せしめて成形して得た棒状体である。
その後、合成繊維体の外周面を、該合成繊維体と一体となるよう合成樹脂製の被覆部材で覆うため、外被部材溶融槽に浸漬して外被部を成形し、指定の外径寸法となるようにセンターレス後、指定の長さにカットし、先端、後端を研磨して、その先端側を楔状に形成し、甘皮除去部と液体塗布部を設けて得られたものである。
【００１２】
なお、繊維束の結着方法は、前記のとおり繊維束を樹脂バインダ液に浸漬せしめて結着してもよいし、繊維束に融点の低い合成繊維を混ぜ、加熱し、熱融着により結着してもよい。
【００１３】
また、使用する樹脂バインダ液は、例えば、尿素樹脂、ポリウレタン樹脂、メラミン樹脂などが挙げられる。
【００１４】
また、合成繊維体の外周面を、該合成繊維体と一体となるよう合成樹脂製の被覆部材で覆う方法としては、合成繊維体の成形時に外被部を同時に被覆成形する方法等、材質や成形性や経済性に応じて最適な方法でよい。
【００１５】
なお、液体塗布具の外径寸法は、丸棒状の場合１〜１２ｍｍφまで可能であるが、成形のしやすさと爪に使用する際の使用感の点において、２．５〜６．０ｍｍφが好ましい。
【００１６】
また、合成繊維体に一体に成形された合成樹脂製の被覆部材は、厚さが０．０１〜２．００ｍｍのポリエチレン、ポリプロピレン、ポリアセタール、塩化ビニルなどの公知の熱可塑性樹脂、ウレタン、メラミン、エポキシなどの熱硬化性樹脂、ニトロセルロース、アセチルセルロース、ベンジンセルロースなどのセルロース誘導体に可塑材（ＤＢＰ、ＴＣＰ）を添加した樹脂、等からなる合成樹脂製のものである。
なお、甘皮を爪と皮膚の間に押し込んで目立たなくしたり、除去するといった機能を有し、合成繊維体での塗布を妨げない点において、合成繊維体に一体に成形された合成樹脂製の被覆部材の厚さは０．１ｍｍ以下であることが好ましく、より好ましくは０．０２〜０．０５ｍｍである。
【００１７】
また、楔状に形成した爪用液体塗布具先端において軸線に対する塗布面の傾斜角度は、甘皮を爪と皮膚の間に押し込んで目立たなくしたり、除去する作業性と爪への液体の塗布しやすさの点において、１５〜８０°であることが好ましく、甘皮処理時の安全性を考慮すると、より好ましくは４０〜６０°である。
【実施例】
【００１８】
本発明の実施の態様を実施例に基づいて説明する。
【００１９】
図１には、本発明の爪用液体塗布具における実施の一形態を例示しており、単糸が２．２デシテックスでポリエステル繊維からなるゲレン１２ｇ／ｍのスライバーを、６ｍｍφの貫通穴を有する２２３℃に加熱された成形ダイス内を通過させ、圧縮緻密化され、６ｍｍφの繊維束を得た。その後、ポリイソシアネートとポリエステルポリオールを配合した樹脂バインダ液（濃度＝５％）に浸漬させ、樹脂バインダ液を乾燥硬化させて棒状体を得た。
その後、外被部材溶融槽に浸漬して外被部を成形し、指定の外径となるようにセンターレスした後、指定の長さにカットし、先端、後端を研磨して先端側を楔状に形成し、甘皮除去部と液体塗布部を有する爪用液体塗布具を得た。
【００２０】
図２には、本発明の爪用液体塗布具における使用時の一形態を例示しており、本発明の爪用液体塗布具を、内部に中綿等の塗液充填部を有するボディーにホルダーを使用して組み付けたものである。
【００２１】
図３には、合成繊維体のみで構成される液体塗布具に甘皮除去機能を有する塗布具ホルダーに組付けた場合に発生する不具合を例示しており、液体塗布部である合成繊維体が甘皮処理部より突出し、甘皮を除去する機能を満たすことができない場合である。
【００２２】
図４には、合成繊維体のみで構成される液体塗布具に甘皮除去機能を有する塗布具ホルダーに組付けた場合に発生する不具合を例示しており、甘皮処理部が突出していることによる液体の塗布不良が発生してしまう場合である。
【００２３】
図５には、本発明の爪用液体塗布具における他の実施の一形態を例示しており、横断面形状を矩形状に形成したものである。
【００２４】
図６には、本発明の爪用液体塗布具における他の実施の一形態を例示しており、先端をナイフカット状にすることで甘皮処理機能を有しながら液体の塗布性を向上させたものである。
【００２５】
図７には、本発明の爪用液体塗布具における他の実施の一形態を例示しており、先端の被覆をリング状に除去し、液体塗布面の外周部に被覆部材のない部分を設けることで甘皮処理機能を有しながら液体の塗布性を向上させたものである。
【００２６】
図８には、本発明の爪用液体塗布具における他の実施の一形態を例示しており、先端の被覆をリング状に除去し、液体塗布面の外周部に被覆部材のない部分を設けることで、液体の塗布性を向上させつつ、リング状の溝の深さを深く設定することで、液体塗布具に柔軟性を持たせ、よりソフトな使用感が得られるようにしたものである。
【００２７】
図９には、本発明の爪用液体塗布具における他の実施の一形態を例示しており、先端の被覆をリング状に加工し、液体塗布面の外周部に被覆厚の薄い部分を設けることで、液体の塗布性を向上させつつ、リング状の溝の深さを浅く設定することで、ハードな使用感が得られるようにしたものである。
【００２８】
図１０には、本発明の爪用液体塗布具における他の実施の一形態を例示しており、先端外周部に複数のリング状の溝加工を施すことで、甘皮処理機能を有しながら液体の塗布性を向上させつつ、デザイン性も向上させたものである。
【００２９】
図１１には、本発明の爪用液体塗布具における他の実施の一形態を例示しており、液体塗布具を組み付けるホルダーの穴径に合わせ、シャンク部を設けたものである。
【００３０】
以上、本発明の実施例について説明したが、本発明はこれらの実施形態に何等限定されるものではない。
【００３１】
例えば、液体塗布具は、丸棒状、角棒状、その他の適宜形状のものでよく、横断面形状において、図５のように矩形状であっても良いし、図示していないが楕円状や星型であっても良い。
【００３２】
また、図１１のように、液体塗布具を組み付けるホルダーに合わせシャンク部を有する段付形状に加工してもよいし、塗布具の外周部やシャンク部等へ位置決め等に有効なリング状の溝を設けても良いし、空気置換等に有効な縦溝を設けても良い。
【００３３】
さらには、合成繊維体や被覆部分の色を塗布する液体の色や使用用途に合わせていろいろな色に設定しても良い。
【産業上の利用可能性】
【００３４】
本発明の爪用液体塗布具は、例えば化粧用として有用であり、ネイルケア、ネイルカラーに適している。  
【００３５】
また、本発明の爪用液体塗布具は、例えば医療用として有用であり、爪への薬剤塗布に適している。
【符号の説明】
【００３６】
１    爪用液体塗布具
２    合成繊維体
２ａ  塗布部
３    被覆部
３ａ  甘皮除去部
４    ホルダー
５    ボディー
６    シャンク部
【図１】
2011041626.tif 000003
【図２】
2011041626.tif 000004
【図３】
2011041626.tif 000005
【図４】
2011041626.tif 000006
【図５】
2011041626.tif 000007
【図６】
2011041626.tif 000008
【図７】
2011041626.tif 000009
【図８】
2011041626.tif 000010
【図９】
2011041626.tif 000011
【図１０】
2011041626.tif 000012
【図１１】
2011041626.tif 000013